(57)【要約】【課題】  シャッター全閉状態において昼間は十分な採光が得られるものでありながら、昼夜を問わずに虫の侵入を簡単な手段で防止することができるシートシャッターを得ることにある。【解決手段】  シャッター開閉用の開口部両側に配置された左右一対のガイドレール１と、当該ガイドレール１間を昇降開閉するシート状の透光性カーテン３と、前記ガイドレール１の上部に配置され前記カーテン３を収納するボックス２とを備えたシートシャッターにおいて、前記透光性カーテン３には、開口部を全閉した状態で、少なくとも前記ガイドレール１各々の周辺部および前記ボックス２のカーテン出入口の周辺部に沿って表出する非透光部６を設けたものである。【選択図】        図１
2005344414.tif 000002
【特許請求の範囲】
【請求項１】
シャッター開閉用の開口部両側に配置された左右一対のガイドレールと、当該ガイドレール間を昇降開閉するシート状の透光性カーテンと、前記ガイドレールの上部に配置され前記カーテンを収納する収納部とを備えたシートシャッターにおいて、前記透光性カーテンには、前記開口部を全閉した状態で、少なくとも前記ガイドレール各々の周辺部および収納部のカーテン出入口の周辺部に沿って表出する非透光部を設けたことを特徴とするシートシャッター。
【発明の詳細な説明】
【技術分野】
【０００１】
この発明は、構築構造物の開口部の開閉や間仕切り等に適用されるシートシャッターに係わり、特に防虫対策を施したシートシャッターに関するものである。
【背景技術】
【０００２】
図３は従来のシートシャッターを示す正面図、図４（Ａ）は図３のＢ−Ｂ線に沿った概略断面図、図４（Ｂ）は図３のＣ−Ｃ線に沿った概略断面図である。
従来のシートシャッターは、工場や倉庫等の建物におけるシャッター開閉用の開口部両側に配置され対向面にカーテンガイド溝１ａを有する左右一対のガイドレール１と、このガイドレール１の上部に配置されたカーテン収納用のボックス２と、前記両ガイドレール１間を昇降開閉するカーテン３とを備えた構成となっている。
【０００３】
前記カーテン３は透明あるいは半透明の透光性シートからなり、そのカーテン３は、上下方向に所定の間隔で配設された複数の補強用横桟（例えば、パイプ）４を有しており、その補強用横桟４の両端部をカーテン３の両側縁部と共にガイドレール１のカーテンガイド溝１ａに昇降自在に嵌め込んでいる（例えば、特許文献１）。
したがって、前記カーテン３によるガイドレール１間の全閉状態では、上下の補強用横桟４間においてカーテン３とガイドレール１との間にカーテンガイド溝１ａによる隙間５（図４（Ｂ）参照）が生じる結果となる。
【０００４】
【特許文献１】特開平１１−１２５０８２号公報（段落［００１１］、図１）
【発明の開示】
【発明が解決しようとする課題】
【０００５】
従来のシートシャッターは以上のように構成され、透光性のカーテン３によるガイドレール１間の全閉時には、カーテンガイド溝１ａ内に臨むカーテン３の両側縁部とガイドレール１との間に隙間５が生じるので、その隙間５から害虫等が侵入するという課題があった。特に、多くの虫類は光に向かって集まる走光性と呼ばれる性質があるため、前記隙間５から漏れる光に集まった多くの虫が前記隙間５から建物内部に侵入するという課題があった。また、ショーウインドウのように常に内部を見せたい場合や採光目的で透光性のカーテン３を用いる場合、夜間はカーテン３全体から光が透過して、より多くの虫が集まって侵入するという課題があった。
【０００６】
この発明は上記のような課題を解決するためになされたもので、シャッター全閉状態において昼間は十分な採光が得られるものでありながら、昼夜を問わずに虫の侵入を簡単な手段で防止することができるシートシャッターを提供することを目的とする。
【課題を解決するための手段】
【０００７】
この発明に係るシートシャッターは、シャッター開閉用の開口部両側に配置された左右一対のガイドレールと、当該ガイドレール間を昇降開閉するシート状の透光性カーテンと、前記ガイドレールの上部に配置され前記カーテンを収納する収納部とを備えたものにおいて、前記透光性カーテンには、前記開口部を全閉した状態で、少なくとも前記ガイドレール各々の周辺部および収納部のカーテン出入口の周辺部に沿って表出する非透光部を設けたものである。
【発明の効果】
【０００８】
この発明によれば、シャッター全閉状態において昼間は十分な採光が得られるものでありながら、昼夜を問わずに虫の侵入を簡単な手段で防止することができるという効果が得られる。
【発明を実施するための最良の形態】
【０００９】
実施の形態１．
図１はこの発明の実施の形態１によるシートシャッターの正面図、図２は図１のＡーＡ線に沿った概略断面図であり、図３および図４と同一部分には同一符号を付して重複説明を省略する。
この発明の実施の形態１によるシートシャッターは、図１に示すように左右のガイドレール１間を全閉した状態にあるシート状の透光性カーテン３において、カーテンを収納する収納部であるボックス２のカーテン出入口および両ガイドレール１の対向面ならびにカーテン接地部に沿って表出するカーテン周辺部に矩形枠状の非透光部６を設けたものである。
【００１０】
このように実施の形態１では、ガイドレール１間を全閉した状態にある透光性カーテン３の周辺部に、ボックス２のカーテン出入口および両ガイドレール１の対向面ならびにカーテン接地部に沿って表出する矩形枠状の非透光部６を設けたことにより、ボックス２のカーテン出入口およびガイドレール１と透光性カーテン３との間ならびに透光性カーテン３の接地面間に隙間が生じても、その隙間から害虫等が侵入するのを防止することができるという効果がある。特に、夜間において、ガイドレール１間を全閉状態の透光性カーテン３における前記非透光部６を除く透光面部に集まった走光性の虫が前記隙間から侵入するのを前記非透光部６によって阻止できるという効果がある。また、透光性カーテン３の非透光部６で囲まれた透光面部によって十分に採光できるという効果がある。
【００１１】
実施の形態２．
上記実施の形態１では、ガイドレール１間を全閉した状態にある透光性カーテン３の表出周辺部に矩形枠状の非透光部６を設けたが、この非透光部６は、ボックス２のカーテン出入口とガイドレール１の対向面に沿う部分のみに設けて、カーテン接地部分には設けないようにしてもよい。通常、透光性カーテン３の下端には、当該下端縁部全長に沿う重錘部材が設けられており、この重錘部材は非透光部材からなって殆ど隙間なく接地するため、カーテン接地部に上述のような非透光部６を設けずとも上記実施の形態１の場合と同様の効果を得ることができる。
【００１２】
実施の形態３．
上記実施の形態１および２では、カーテン３の表裏の両面に非透光部６を設けたが、非透光部６を周辺部およびボックス２のカーテン出入口に沿って表出したカーテンの表裏のうちの一方面（例えば、外部側）のみに設けてもよい。
また、上記実施の形態１および２に示す透光性カーテン３を用いた場合には、図１に示すように、上下方向に所定の間隔で配設され、かつ、その両端部を透光性カーテン３の両側縁部と共にガイドレール１のカーテンガイド溝１ａに昇降自在に嵌め込んだ複数の補強用横桟（例えば、パイプ）４を設けてもよい。
【図面の簡単な説明】
【００１３】
【図１】この発明の実施の形態１によるシートシャッターの正面図である。
【図２】図１のＡーＡ線に沿った概略断面図である。
【図３】図３は従来のシートシャッターを示す正面図である。
【図４】図４（Ａ）は図３のＢ−Ｂ線に沿った概略断面図、図４（Ｂ）は図３のＣ−Ｃ線に沿った概略断面図である。
【符号の説明】
【００１４】
１  ガイドレール
１ａ  カーテンガイド溝
２  ボックス（収納部）
３  カーテン
４  補強用横桟
５  隙間
６  非透光部
【図１】
2005344414.tif 000003
【図２】
2005344414.tif 000004
【図３】
2005344414.tif 000005
【図４】
2005344414.tif 000006